(57)【要約】      （修正有）【課題】組立作業が容易であり、また梱包コストの上昇を極力抑えつつ強度を向上でき、更に破棄処分も容易な梱包装置を提供すること。【解決手段】製品６１を載置する底板１と、製品６１を包む外装箱５０とを備えた梱包装置において、底板１は、四角形の底面と、該底面の一方の相対向した２辺から上方へ折曲して形成されると共に外側端部を内方に折曲されて形成される延出部を備えた一方の側面５と、前記底面の他方の相対向した２辺から上方へ折曲し更に上縁にて内側に折り返して前記延出部を挟む外側片８と内側片１０とを備えた他方の側面６とを備え、一方の対向する側面５の内側に製品６１を載置する載置部材１６を配設し、他方の対向する側面６を形成する外側片８と内側片１０とに跨るようにその外側面又は内側面に補強用の粘着テープ１１を貼着した。【選択図】図１
2005170440.tif 000002
【特許請求の範囲】
【請求項１】
製品を載置する底板と、前記製品を包む外装箱とを備えた梱包装置において、前記底板を上面を開口した箱状に形成し、一方の対向する側面の内側に前記製品を載置する載置部材を配設し、他方の対向する側面にはその外側面と内側面に跨るように補強テープを貼着したことを特徴とする梱包装置。
【請求項２】
前記他方の対向する側面を外側片と折り返された内側片とで形成し、この外側片と内側片とに跨るようにその外側面又は内側面に補強テープを貼着したことを特徴とする請求項１に記載の梱包装置。
【請求項３】
製品を載置する底板と、前記製品を包む外装箱とを備えた梱包装置において、前記底板は四角形の底面と、該底面の一方の相対向した２辺から上方へ折曲して形成された一方の側面と、前記底面の他方の相対向した２辺から上方へ折曲し更に上縁にて内側に折り返して形成された外側片と内側片とを備えた他方の側面とを備え、一方の対向する側面の内側に前記製品を載置する載置部材を配設し、前記他方の対向する側面を形成する前記外側片と内側片とに跨るようにその外側面又は内側面に補強テープを貼着したことを特徴とする梱包装置。
【請求項４】
製品を載置する底板と、前記製品を包む外装箱とを備えた梱包装置において、前記底板は、四角形の底面と、該底面の一方の相対向した２辺から上方へ折曲して形成されると共に外側端部を内方に折曲されて形成される延出部を備えた一方の側面と、前記底面の他方の相対向した２辺から上方へ折曲し更に上縁にて内側に折り返して前記延出部を挟む外側片と内側片とを備えた他方の側面とを備え、一方の対向する側面の内側に前記製品を載置する載置部材を配設し、前記他方の対向する側面を形成する前記外側片と内側片とに跨るようにその外側面又は内側面に補強テープを貼着したことを特徴とする梱包装置。
【発明の詳細な説明】
【技術分野】
【０００１】
本発明は、一般家庭等における冷蔵庫等の製品の梱包装置に関し、特に製品を載置する底板を備えた梱包装置に関する。
【背景技術】
【０００２】
この種冷蔵庫等の製品を梱包する梱包装置は、製品を載置する緩衝材及び補強材を備えた底板と、製品の側面及び上面を覆い包む外装箱とから構成されている。そして、前記底板及び外装箱は一般に段ボールにより形成されている。（特許文献１参照）。
【０００３】
このような梱包装置にあっては、図４及び図５に示した如く、外装箱５０により側面及び上面が覆われた製品である冷蔵庫６１を載置する底板５１は、四角形の底面５２と底面５２の周縁からほぼ直角に折曲した側面５３とから構成されている。そして、底板５１の一方の相対向する側面５３の内側には、例えばＦＯ−ＰＳ（発泡ポリスチレン）により形成され縦断面形状ほぼL字状の一対の載置部材５４が設けられ、冷蔵庫６１が載置部材５４に載置され支持される。このように構成された底板５１に冷蔵庫６１を載置し、梱包して運搬するとき、図６に示したごとく、底板５１の載置部材５４が設けられていない相対向した辺の中央部に矢印５５にて示す力が加わると、その力に側面５３が耐えられなく破れ、底板５１が折れ曲がる虞があった。
【０００４】
また、上記のような側面５３の破損を回避するために、図７又は図８に示した如く、底板５１の載置部材５４が設けられていない相対向した辺に樹脂或いは木材等の補強部材５６を設けることがある。しかしながら、このように補強部材５６を新たに設けた場合には、補強部材の追加により梱包コストが上昇するという問題、冷蔵庫６１を設置した後の補強部材５６の廃棄等の処分の問題が発生する。
【特許文献１】特開平５−６５１８３号
【発明の開示】
【発明が解決しようとする課題】
【０００５】
そこで本発明は、組立作業が容易であり、また梱包コストの上昇を極力抑えつつ強度を向上でき、更に破棄処分も容易な梱包装置を提供することを目的とする。
【課題を解決するための手段】
【０００６】
上記課題を解決するため、第１の発明は、製品を載置する底板と、前記製品を包む外装箱とを備えた梱包装置において、前記底板を上面を開口した箱状に形成し、一方の対向する側面の内側に前記製品を載置する載置部材を配設し、他方の対向する側面にはその外側面と内側面に跨るように補強テープを貼着したことを特徴とする。
【０００７】
第２の発明は、第１の発明において、前記他方の対向する側面を外側片と折り返された内側片とで形成し、この外側片と内側片とに跨るようにその外側面又は内側面に補強テープを貼着したことを特徴とする。
【０００８】
第３の発明は、製品を載置する底板と、前記製品を包む外装箱とを備えた梱包装置において、前記底板は四角形の底面と、該底面の一方の相対向した２辺から上方へ折曲して形成された一方の側面と、前記底面の他方の相対向した２辺から上方へ折曲し更に上縁にて内側に折り返して形成された外側片と内側片とを備えた他方の側面とを備え、一方の対向する側面の内側に前記製品を載置する載置部材を配設し、前記他方の対向する側面を形成する前記外側片と内側片とに跨るようにその外側面又は内側面に補強テープを貼着したことを特徴とする。
【０００９】
第４の発明は、製品を載置する底板と、前記製品を包む外装箱とを備えた梱包装置において、前記底板は、四角形の底面と、該底面の一方の相対向した２辺から上方へ折曲して形成されると共に外側端部を内方に折曲されて形成される延出部を備えた一方の側面と、前記底面の他方の相対向した２辺から上方へ折曲し更に上縁にて内側に折り返して前記延出部を挟む外側片と内側片とを備えた他方の側面とを備え、一方の対向する側面の内側に前記製品を載置する載置部材を配設し、前記他方の対向する側面を形成する前記外側片と内側片とに跨るようにその外側面又は内側面に補強テープを貼着したことを特徴とする。
【発明の効果】
【００１０】
本発明によれば、組立作業性を向上させることができ、また梱包コストの上昇を極力抑えつつ強度を向上でき、冷蔵庫等の重量がある製品を梱包した場合にも変形を回避でき、更には廃棄処分も容易な梱包装置を提供することが可能となる。
【発明を実施するための最良の形態】
【００１１】
以下、本発明の実施の形態を図に基づき説明する。図１に示した如く、冷蔵庫６１は図４に示された外装箱５０と同様に構成された外装箱５０と底板１とから構成された梱包装置２によって梱包される。
【００１２】
以下、図１及び図２に基づき梱包装置２について詳述する。前記底板１を構成する底板本体３は、例えば波型の中芯厚紙の両面にボール紙を貼り付けた断ボールにより形成され、底面４とその相対向した両側縁からほぼ直角に立ち上がり、夫々相対向した一方の側面５と他方の側面６とから構成されている。
【００１３】
一方の側面５の左右両端には、側縁からさらに外方に延びた後述する延出部７が設けられている。また、図１に示した如く、他方の側面６の一方は四角形状の底面４の外側端部から上方へ折曲して立ち上がる外側片８とこの外側片８の上端縁から下方に内側に折曲される内側片１０とから構成され、この内側片１０の外端部には夫々間隔を存して複数の突出片１２が形成され、底面４と外側片８との境界部には各突出片１２に対応し間隔を存して複数の挿入孔１３が形成されている。そして、外側片８と内側片１０とに跨って二重の二点鎖線にて示した折曲部１７がほぼ中央になるように上面に且つ底面４の短手方向の辺に沿って補強用の帯状の粘着テープ１１が貼られる。
【００１４】
また、他方の側面６の他方も底面４の外側端部から上方へ折曲して立ち上がる外側片８とこの外側片８の上端縁から下方に折曲される内側片１０とから構成され、この他方の内側片１０の外端部にはその中央に突出片１４が形成され、底面４と外側片８との境界部には突出片１４に対応し挿入孔１５が形成され、この外側片８と内側片１０とに跨って二重の二点鎖線にて示した折曲部１７がほぼ中央になるように上面に且つ底面４の短手方向の辺に沿って補強用の帯状の粘着テープ１１が貼られる。そして、各突出片１２、１４は各挿入孔１３、１５に差し込まれ、各内側片１０が位置決めされる。
【００１５】
また、底板１には、前記一方の側面５の内側に位置し、この側面５に沿い緩衝部材である載置部材１６が相対向して配設される。載置部材１６は、例えばＦＯ−ＰＳ（発泡ポリスチレン）により縦断面ほぼＬ字状に形成されている。
【００１６】
以下、前述せる底板１の組立方法について説明する。図２は各側面５、６及び延出部７を折曲する前の底板本体３であり、まず各他方の側面６を折曲して立ち上げる前に、二重の二点鎖線にて示した折曲部１７がほぼ中央になり外側片８と内側片１０とに跨るように粘着テープ１１をそれぞれ他方の側面６のほぼ全幅にわたり貼り付ける。
【００１７】
次に、各一方の側面５を二点鎖線にて示した折曲部１８にてほぼ直角に上方へ折曲し、更に各一方の側面５の左右両端部の延出部７を折曲部２０にて内側（内方）にほぼ直角に折曲する。
【００１８】
次に、各他方の側面６を二点鎖線にて示した折曲部２１にてほぼ直角に上方へ折曲し、更に上記折曲部１７において内側に外側片１０をほぼ１８０°折り返し、外側片８と内側片１０とで折曲された前記延出部７を挟むようにする。そして、内側片１０の端部（下縁部）の各突出片１２、１４を底面４の各挿入孔１３、１５に差し込むことにより、各内側片１０が位置決めされ、底板１が組立てられる。
【００１９】
このように、一方の側面５及び他方の側面６を形成した後、各一方の側面５の内側に沿って、且つ他方の側面６の各外側片８を外方へ押圧するように密着させるように載置部材１６を配設する。
【００２０】
上記のように構成された底板１において、底板１を底板本体３の折曲により容易に組み立てることができると共に、他方の側面６の内面の折曲部１７には、粘着テープ１１が外側片８と内側片１０とに跨り、他方の側面６のほぼ全幅にわたり貼り付けられているので、梱包コストの上昇を極力抑えつつ側面６を補強しその強度を向上させることができる。このため、底板１に載置部材１６を介して冷蔵庫６１を載置して梱包した後、運搬したとき、図６に示したように下方から力が加わった際にも、他方の側面６が変形したり破れること、底面４が変形し折れ曲がることを回避することができる。また、粘着テープ１１を底面４の周縁近傍まで貼り付けた場合には、その効果が大きい。
【００２１】
以下、本発明の他の実施の形態を図３に基づき説明する。なお、図３において、図１及び図２に示した底板１と同様の構成については、同様の符号を付し、その詳細な説明を省略する。
【００２２】
図３において、底板２１は底板本体２２と載置部材１６とから構成されている。そして、底板本体２２は段ボールにより形成され、四角形状の底面２３と底面２３の周囲４辺にて折曲して立ち上がった側面２４を有している。また、相対向した一方の側面２４の内側に載置部材１６が設けられ、相対向した他方の側面２４には、側面２４のほぼ全幅にわたり内外両面に跨り粘着テープ２５が貼着されている。
【００２３】
このように、側面２４のほぼ全幅にわたり内外両面に跨り粘着テープ２５を貼着しているので、梱包コストの上昇を極力抑えつつ側面２４を補強しその強度を向上させることができる。なお、本実施形態の底板２１は、第１の実施形態の底板１と同様な構造のものでもよく、この場合にも外側片と内側片とに跨って外側に、他方の側面のほぼ全幅にわたり貼り付けられるものである。
【００２４】
このため、底板２１に載置部材１６を介して外装箱５０にて梱包された冷蔵庫を載置して梱包することにより、運搬の際に、図６に示したように下方から力が加わった際にも、各側面２４が変形したり破れること、底面２３が変形し折れ曲がることを回避できる。また、側面２４の内外両面に跨って貼られた粘着テープ２５によって側面２４の上部がカバーされ、側面２４の損傷を防止することも可能になる。
【００２５】
また、本実施形態において、冷蔵庫の梱包装置について説明したが、上記実施形態において説明した梱包装置により冷蔵庫以外のテレビ等の種々の製品等の梱包に使用した場合にも同様の作用効果を得ることができる。
【００２６】
以上本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【図面の簡単な説明】
【００２７】
【図１】梱包装置による冷蔵庫の梱包状態を示す断面図である。
【図２】底板本体の展開状態を示す平面図である。
【図３】他の実施形態の梱包装置の断面図である。。
【図４】従来の梱包装置による梱包作業を示す斜視図である。
【図５】従来の梱包装置による梱包状態を示す断面図である。
【図６】従来の梱包装置の破損状態を示す斜視図である。
【図７】他の従来の梱包装置の組み立て示す斜視図である。
【図８】他の従来の梱包装置による梱包状態を示す断面図である。
【符号の説明】
【００２８】
１              底板
２              梱包装置
３              底板本体
４              底面
５              一方の側面
６              他方の側面
７              延出部
８              外側片
１０            内側片
１１            粘着テープ
１６            載置部材
１７            折曲部
２１            底板
２２            底板本体
２３            底面
２４            側面
２５            粘着テープ
５０            外装箱
【図１】
2005170440.tif 000003
【図２】
2005170440.tif 000004
【図３】
2005170440.tif 000005
【図４】
2005170440.tif 000006
【図５】
2005170440.tif 000007
【図６】
2005170440.tif 000008
【図７】
2005170440.tif 000009
【図８】
2005170440.tif 000010